(57)【要約】  梯子に取着可能なアーム部材（１２０）であって、本体（１４０）、脚部（１５０）及び足部（１６０）を含む該アーム部材と、本体に関して入れ子状に伸縮自在に可動な上記脚部と、脚部の端部に隣接して取着し、脚部に関して可動な上記足部と、アーム部材に取着し、梯子に取着可能なブレース（１３０）とを備え、ピボットをアーム部材の端部に取着して、梯子に梯子安定装置を枢動可能に実装する、梯子（１１１）を安定させる梯子安定装置（１１０）。【選択図】図３
2007524015.tif 000002
【特許請求の範囲】
【請求項１】
梯子に取着可能なアーム部材であって、本体、脚部及び足部を含む該アーム部材、
本体に関して入れ子状に伸縮自在に可動な前記脚部、
脚部の端部に隣接して取着し、脚部に関して可動な前記足部、及び
アーム部材に取着し、梯子に取着可能なブレースを備え、
ピボットをアーム部材の端部に取着して、梯子に梯子安定装置を枢動可能に実装すること、  
を特徴とする梯子を安定させるための梯子安定装置。
【請求項２】
アーム部材を枢動可能に、ヒンジを使用して梯子に取着してもよいこと、を特徴とする請求項１に記載の梯子安定装置。
【請求項３】
ヒンジを本体の端部に隣接して取着してもよいこと、を特徴とする請求項２に記載の梯子安定装置。
【請求項４】
脚部を本体内部に配設してもよいこと、を特徴とする請求項１に記載の梯子安定装置。
【請求項５】
脚部を、締結具を使用して本体に固定してもよいこと、を特徴とする請求項１に記載の梯子安定装置。
【請求項６】
足部を脚部に関して回転可能に可動にしてもよいこと、を特徴とする請求項１に記載の梯子安定装置。
【請求項７】
足部には、ナット内部で回転するねじ軸を含んでもよいこと、を特徴とする請求項６に記載の梯子安定装置。
【請求項８】
足部を枢動可能に脚部の端部に取着してもよいこと、を特徴とする請求項１に記載の梯子安定装置。
【請求項９】
ブレースを本体に取着してもよいこと、を特徴とする請求項１に記載の梯子安定装置。
【請求項１０】
ブレースを枢動可能に梯子に取着してもよいこと、を特徴とする請求項１に記載の梯子安定装置。
【請求項１１】
本体の一部を形成するタブで、ブレースに配設したピンを捕えること、を特徴とする請求項１に記載の梯子安定装置。
【請求項１２】
ブレースを入れ子状に伸縮自在にすること、を特徴とする請求項１に記載の梯子安定装置。
【発明の詳細な説明】
【技術分野】
【０００１】
本発明は、梯子を安定させるための梯子安定装置に関する。
【背景技術】
【０００２】
個人が平坦な、堅固な面で梯子を使用するのは、一般的には全く安全である。足部は、通常殆どの現代の梯子に見られ、人が平面で梯子を登る際に、梯子を正しい位置に保つには十分である。
【０００３】
しかしながら、表面が傾斜及び／又は軟弱な場合には、問題点がしばしば発生する。梯子を登る人が原因で頻繁に梯子の安定性が損なわれ、その結果梯子及びその梯子を使用する人が転倒してしまう。そのため、傾斜した又は軟弱な面では、第２者により、梯子を保持する必要があった。
【０００４】
第２者の必要性を解決するために、使用中の梯子の転倒防止を支援する梯子安定装置が開発された。かかる梯子安定装置の１つについては、欧州特許出願第１７２２８４号で示されている。この梯子安定装置は、安定装置の脚部を梯子の框に関して調整でき、異なる傾斜面を許容するため、殆どの状況でよく機能する。
【０００５】
しかしながら、欧州特許出願第１７２２８４号で示される梯子安定装置では、脚部の延伸を妨げる壁等の障害がある場合、十分な梯子安定性を提供しない可能性がある。そうした状況では、脚部により梯子には殆ど又は全く安定性が提供されないことになる。更に、梯子安定装置の製造に使用する構成要素の数が多く、そのため梯子安定装置が大きくなり、その結果製造に費用がかかり、梯子への取着が困難である。
【０００６】
類似の梯子安定装置が、米国特許第５，５５１，５２９号、米国特許第５，１５４，２５７号、米国特許第４，８０７，７２０号、カナダ特許出願第２，２８１，２０９号、及び国際公開第ＷＯ  ０２／０５９４４６号で開示されている。これら全ての梯子安定装置には、延伸可能な脚部を有している。しかしながら、これら全ての梯子安定装置は、製造に費用がかかり、大幅に横方向に延伸せず、及び／又は、運搬が困難である。
【発明の開示】
【０００７】
本発明の目的は、１つ又は複数の上記短所を解決又は軽減する、又は消費者に有益な又は商業的な選択を提供することである。
【０００８】
１つの形態において、必ずしも唯一又は極めて広義の形態ではないが、本発明は梯子を安定させるための梯子安定装置に属し、該梯子安定装置には、
梯子に取着可能なアーム部材であって、本体、脚部及び足部を含む該アーム部材、
本体に関して入れ子状に伸縮自在に可動な前記脚部、
脚部の端部に隣接して取着し、脚部に関して可動な前記足部、及び
アーム部材に取着し、梯子に取着可能なブレースを、備え、
ピボットをアーム部材の端部に取着して、梯子に梯子安定装置を枢動可能に実装する。
【０００９】
アーム部材を、ヒンジを使用して梯子に枢動可能に取着してもよい。ヒンジを本体の端部に隣接して取着してもよい。
【００１０】
脚部を、本体内部に配設してもよい。一旦所望の位置に達すると、脚部を本体に固定してもよい。蝶ねじ又はばね付勢したピン等の締結具をこの目的のために使用してもよい。
【００１１】
足部を、脚部に関して回転可能に可動にしてもよい。足部には、ナット内部で回転するねじ軸を含んでもよい。ナットを、プレートに取着してもよい。
【００１２】
或いは、足部を脚部の端部に枢動可能に取着してもよい。
【００１３】
ブレースを、本体に取着してもよい。ブレースを、梯子に枢動可能に取着してもよい。タブを本体の一部として、ブレースに配設するピンを捕える。
【００１４】
ブレースを入れ子状に伸縮自在にして、梯子に関してアーム部材の角度を調節してもよい。
【発明を実施するための最良の形態】
【００１５】
図１及び図２では、梯子１１で使用する梯子安定装置１０を示す。梯子安定装置１０には、アーム部材２０及びブレース３０を備える。アーム部材２０には、本体４０、脚部５０及び足部６０を有する。
【００１６】
本体４０を、矩形の中空チャンネル材４１を使い製作する。ねじ穴４２を該チャンネル材の下端部に隣接して配置し、蝶ねじ４３を配設する。タブ４４を、中空チャンネル材４１の側面に配設し、ブレース３０を本体４０に取着可能にさせる。ヒンジ４５をチャンネル材４１の上端部に取着し、ヒンジ４５を使用して本体４０を梯子１１の框１２に取着する。リベット（図示せず）を使用して、ヒンジ４５を梯子の框１２に取着する。
【００１７】
脚部５０も矩形の中空チャンネル材５１から形成する。該チャンネル材５１については、それが本体４０を形成するチャンネル材４１に嵌合するよう寸法決めする。それにより、脚部５０を本体４０と入れ子状に伸縮自在に摺動可能にさせる。
【００１８】
一連に間隔を開けてねじ穴５２を、チャンネル材５１長に沿って配設する。穴５２を、脚部５０を本体４０と摺動させた場合に、脚部５０の穴５２を本体４０に配設した穴４２と整合するよう配置する。蝶ねじ４３を、整合させた穴４２、５２に通して取付け、本体４０に関して確実に脚部５０を保持する。
【００１９】
足部６０には、Ｕ字型プレート６１を含み、該プレートにはねじナット６２を取着する。ねじ軸６３を、ナット６２を通して配設する。ベース６４をねじ軸６３の端部に取着し、ゴム製シュー６５をベース６４に取着する。軸６３を回転させて、ベースを、軸６３が回転する方向により、Ｕ字型プレート６１付近に移動させる又は該プレート６１から離隔させる。足部６０を脚部に、字型プレート６１及び脚部の穴６６、５３を通してねじ６７を配設して取着する。
【００２０】
ブレース３０を、平坦な金属の細片３１から形成する。ピン３２をブレースの１端部に配設して、このピンを本体４０のタブ４４に取付ける。ブレース３０を、ねじ、ボルト等の適当な締結具を使用して梯子１１の框１２に取着する。
【００２１】
使用する際には、梯子安定装置１０を以下の方法で使用する。一旦梯子１１をその所望位置に配設し、ブレース３０のピン３２をタブ４４に通して取付ける。蝶ねじ４３をその後穴４３、５２から外し、脚部５０を、足部が地面に当たるまで本体４０から延伸させる。脚部５０の穴５２及び本体４０の穴４２が、足部が接地した際に、整合しない場合は、ねじ軸６３をその後回転させて、アーム部材長を延伸又は短縮させ、それにより穴４２、５２を整合させる。蝶ねじ４３を、その後、穴に再度取付けて、本体に関して脚部を固着する。
【００２２】
図３及び図４では、梯子１１１に取着した梯子安定装置１１０の更なる実施例を示す。梯子安定装置１１０には、ここでもアーム部材１２０及びブレース１３０を備えている。アーム部材１２０もまた、本体１４０、脚部１５０及び足部１６０を有する。
【００２３】
本体１４０を、中空チャンネル材１４１を使い製作する。ばね付勢したピン１４２を、本体１４１から上方に延在させた中空軸１４３内部に配設する。このピン１４２は、ピン１４２が中空チャンネル材１４１に延伸する位置に向けて付勢される。タブ１４４を、中空チャンネル材１４１の側面に配設して、ブレース１３０を本体４０に取着可能にする。ヒンジ１４５を中空チャンネル材１４１の上端部に取着し、ヒンジ１４５を使用して本体１４０を梯子１１の框１１２に取着する。
【００２４】
図５では、更に詳細にヒンジ１４５ついて示す。ヒンジ１４５には、スピゴット１４６及びヒンジピン１４７を含む。スピゴット１４６を、梯子１１１の框１１２に連結させる。ヒンジピン１４７は、中空チャンネル材１４１及びスピゴット１４６を通して延在させて、梯子１１１に関してアーム部材１２０を回転可能にしている。係合片１４８をヒンジピン１４６に通して、ヒンジピン１４６の紛失を防止する。チェーン１４９を、中空チャンネル材１４１及び係合片１４８に連結し、ヒンジピン１４７の紛失防止を補助する。
【００２５】
脚部１５０も矩形の中空チャンネル材１５１から形成する。該チャンネル材１５１については、それが本体１４０を形成するチャンネル材１４１に嵌合するよう寸法決めする。それにより、脚部１５０を本体１４０と入れ子状に伸縮自在に摺動可能にする。
【００２６】
一連に間隔を開けてねじ穴１５２を、チャンネル材１５１に沿って配設する。穴１５２を、脚部１５０を本体１４０と摺動させた場合に、脚部１５０の穴１５２を本体１４０に配設したピン１４２と整合するよう配置する。このピン１４２を、中空チャンネル材１４１及び１５１を通して延在させ、其々の穴１５２内に取付けて、チャンネル材１４１と１５１を互いに固定する。
【００２７】
足部１６０について図６で更に詳細に示すが、足部をプレート１６１から、上方に延伸する２枚の翼部１６２を有して、形成する。ラグ１５３を翼部１６２間に配設して、脚部の端部に取着する。ボルト１６３をラグ１５３及び翼部１６２を通して延在させて、足部１６０を脚部１５０に枢動可能に実装する。
【００２８】
ブレース１３０は、上述したものと同じで、平坦な金属１３１の細片から形成する。結合用ピン１３２を、ブレースの１端部に配設して、結合用ピン１３２を本体１４０のタブ１４４に取付け可能にする。ブレース１３０を梯子１１の框１２に、ねじ、ボルト等の適当な締結具を使用して取着する。
【００２９】
使用する際には、梯子安定装置１１０を上述したのと同様の方法で使用する。一旦梯子１１１をその所望位置に配設し、ブレース３０の結合ピン１３２をタブ１４４に通して取付ける。ばね付勢したピン１４２を上方に引張り、脚部１５０を、足部１６０が地面に当たるまで本体１４０から入れ子状に伸縮自在に可動にする。一旦足部が接地すると、ばね付勢したピンを解除し、脚部１５０を本体１４０に関して、ばね付勢したピンが穴１５２と係合するまで、移動させる。
【００３０】
図７では、どちらの上記実施例でも使用してもよい別のブレース２００を示す。ブレース２００には、外側本体２１０及び内側本体２２０を含む。内側本体２２０は外側本体２１０内に嵌合し、外側本体２１０に関して往復可動である。ばね付勢したピン２３０を、外側本体２５０から上方に延在する中空軸２４０内部に配設する。ピン２３０を、ピン２３０が外側本体２１０内に延在する位置に向けて、付勢する。
【００３１】
内側本体２２０には、内側本体２２０に沿って延在する一連の穴２６０を有する。これらの穴２６０を、内側本体２２０を外側本体２１０と摺動させた場合に、内側本体２２０の穴２６０を外側本体２１０に配設したピン２３０に整合するよう配置する。ピン２３０を、外側本体２１０及び内側本体２２０を通して延在させ、其々の穴内に取付けて、外側本体２１０と内側本体２２０を互いに固定する。
【００３２】
前のブレース１３０と同様に、結合ピン２７０をブレースの１端部２６０に配設して、結合用ピン１３２を本体４０又は１４０のタブ４４又は１４４に取付け可能にする。このブレース２７０を梯子の框に、ねじ、ボルト等の適当な締結具を使用して枢動可能に取着する。
【００３３】
この別なブレース２００により、アーム部材が、ブレース２００の入れ子状に伸縮する性質のために、梯子に関して様々な異なる角度を成せる。その結果、平坦でない地面で、梯子安定装置は、必要に応じて、梯子と梯子安定装置との間の角度を増大させることにより、より大きな横力を提供できる。
【００３４】
上述した梯子安定装置が提供する利点としては、製造が容易なこと、梯子安定装置を梯子に容易に取着できること、及び梯子安定装置を容易に配置して使用できることが挙げられる。更には、梯子に取着したままでも、梯子安定装置を容易に運搬可能である。
【００３５】
当然ながら、様々な他の変更及び変形を、本発明の精神又は範囲から逸脱することなく、記述した実施例に対して実施してもよい。
【図面の簡単な説明】
【００３６】
本発明の実施例について、例証としてのみ、添付図を参照して以下に記述する。
【図１】本発明の第１実施例による梯子の框に取着した２つの梯子安定装置の正面図である。
【図２】図１で示した梯子安定装置の分解斜視図である。
【図３】本発明の第２実施例による梯子の框に取着した２つの梯子安定装置の正面図である。
【図４】図１で示した梯子安定装置の分解斜視図である。
【図５】梯子安定装置を梯子に連結するヒンジの側面図である。
【図６】脚部に取着した足部の斜視図である。
【図７】別なブレースの斜視図である。
【符号の説明】
【００３７】
１０、１１０        梯子安定装置
１１、１１１        梯子
１２、１１２        框
２０、１２０        アーム部材
３０、１３０、２００    ブレース
３１、１３１        細片
３２、１３２        ピン
４０、１４０        本体
４１、５１、１４１、１５１中空チャンネル材
４２、５２、１５２    ねじ穴
４３                  蝶ねじ
４４、１４４        タブ
４５、１４５        ヒンジ
５０、１５０        脚部
６０、１６０        足部
６１、１６１        プレート
６３                  ねじ軸
６４                  ベース
６５                  シュー
１４３、２４０        中空軸
１４６                スピゴット
１４７                ヒンジピン
１４８                係合片
１４９                チェーン
１５３                ラグ
１６２                翼部
２１０                外側本体
２２０                内側本体
【図１】
2007524015.tif 000003
【図２】
2007524015.tif 000004
【図３】
2007524015.tif 000005
【図４】
2007524015.tif 000006
【図５】
2007524015.tif 000007
【図６】
2007524015.tif 000008
【図７】
2007524015.tif 000009
【国際調査報告】
2007524015.tif 000010
2007524015.tif 000011